(57)【要約】【課題】  テレビの外部モニタとデジタルカメラのＬＣＤ内蔵モニタとに表示される各サムネイル画像の対応関係や、各選択画像の対応関係は、明らかではなかった。【解決手段】  Ｓ２２の判別で、各モニタ１６、１８において現在選択されている番号１の先頭画像の次の番号２の画像が選択されると、Ｓ２３の処理により、内蔵モニタ１６では、番号１の先頭画像が消され、番号２〜９の各画像の表示位置が順次繰り上げられ、番号２であった画像が先頭画像とされる。そして、番号９であった最後端位置に新たに番号１０の画像が入れられる。また、外部モニタ１８では、番号１の先頭画像が消され、番号２〜３６の各画像の表示位置が順次繰り上げられ、番号２であった画像が先頭画像とされる。そして、番号３６であった最後端位置に新たに番号３７の画像が入れられる。この際、各モニタ１６、１８における各選択画像は常に同じ左上にあり、移動しない。【選択図】  図７
2010074205.tif 000002
【特許請求の範囲】
【請求項１】
記憶媒体に格納された画像データを読み出す画像読出手段と、
この画像読出手段によって読み出された画像データに応じた画像が表示される内蔵モニタと、
前記画像読出手段によって読み出された複数の画像データに基づいて前記内蔵モニタ用のサムネイル一覧画像を生成する内蔵モニタ用一覧画像生成手段と、
前記画像読出手段によって読み出された複数の画像データに基づいて前記内蔵モニタ用のサムネイル一覧画像が含む画像よりも多い数の画像から構成される外部モニタ用のサムネイル一覧画像を生成する外部モニタ用一覧画像生成手段と、
この外部モニタ用一覧画像生成手段で生成された外部モニタ用のサムネイル一覧画像を外部モニタへ出力する出力手段と、
前記内蔵モニタおよび前記外部モニタの各モニタに表示される各サムネイル一覧画像における画像を選択する使用者の操作を受け付ける操作受付手段と、
この操作受付手段によって操作が受け付けられて選択された、前記内蔵モニタに表示されるサムネイル一覧画像における画像と前記外部モニタに表示されるサムネイル一覧画像における画像とが同一であると視認させる関連付け手段と
を備えることを特徴とする画像表示装置。
【請求項２】
請求項１に記載の画像表示装置において、
前記関連付け手段は、
前記各モニタにおいて現在選択されている画像の次の画像を選択する操作が前記操作受付手段によって受け付けられると、
前記各モニタに表示される前記各サムネイル一覧画像の先頭画像が消えて２番目以降の各画像の表示位置が順次繰り上がり、前記各サムネイル一覧画像の最後端に新たな画像が表示された内蔵モニタ用のサムネイル一覧画像および外部モニタ用のサムネイル一覧画像を前記内蔵モニタ用一覧画像生成手段および前記外部モニタ用一覧画像生成手段に生成させる
ことを特徴とする画像表示装置。
【請求項３】
請求項１に記載の画像表示装置において、
前記関連付け手段は、
前記操作受付手段によって操作が受け付けられて選択された画像の前記各モニタにおける表示態様を第１の表示態様とし、前記操作受付手段によって操作が受け付けられて選択された画像以外の各画像の前記各モニタにおける表示態様を前記第１の表示態様と異なる第２の表示態様とした内蔵モニタ用のサムネイル一覧画像および外部モニタ用のサムネイル一覧画像を前記内蔵モニタ用一覧画像生成手段および前記外部モニタ用一覧画像生成手段に生成させ、
前記各モニタにおいて現在選択されている画像の次の画像を選択する操作が前記操作受付手段によって受け付けられると、
前記各モニタにおいて、前記第１の表示態様で表示される画像が現在前記第１の表示態様で表示されている画像から次の画像に切り替わり、前記第２の表示態様で表示される画像が切り替わった前記次の画像以外にされた内蔵モニタ用のサムネイル一覧画像および外部モニタ用のサムネイル一覧画像を前記内蔵モニタ用一覧画像生成手段および前記外部モニタ用一覧画像生成手段に生成させ、
前記内蔵モニタに表示されるサムネイル一覧画像における選択画像がこのサムネイル一覧画像の最後端の画像から次の画像に切り替える操作が前記操作受付手段によって受け付けられると、
前記内蔵モニタに表示されていたサムネイル一覧画像を構成する全画像が消されて全画像が次の新たな画像群とされ、前記第１の表示態様で表示される画像がサムネイル一覧画像の最後端画像から先頭画像に切り替わり、前記第２の表示態様で表示される画像がこの先頭画像以外の画像に切り替わった内蔵モニタ用のサムネイル一覧画像を前記内蔵モニタ用一覧画像生成手段に生成させると共に、
前記外部モニタに表示されるサムネイル一覧画像を構成する画像が、前記内蔵モニタに表示されるサムネイル一覧画像の全画像数分消されて、消されて残った画像の各表示位置が順次前記全画像数分繰り上がり、繰り上がった最後端の次の表示位置から消された前記全画像数分の新たな画像群が表示された外部モニタ用のサムネイル一覧画像を前記外部モニタ用一覧画像生成手段に生成させる
ことを特徴とする画像表示装置。
【請求項４】
請求項１に記載の画像表示装置において、
前記関連付け手段は、
前記操作受付手段によって操作が受け付けられて選択された画像の前記各モニタにおける表示態様を第１の表示態様とし、前記操作受付手段によって操作が受け付けられて選択された画像以外の各画像の前記各モニタにおける表示態様を前記第１の表示態様と異なる第２の表示態様とした内蔵モニタ用のサムネイル一覧画像および外部モニタ用のサムネイル一覧画像を前記内蔵モニタ用一覧画像生成手段および前記外部モニタ用一覧画像生成手段に生成させ、
前記各モニタにおいて現在選択されている画像の次の画像を選択する操作が前記操作受付手段によって受け付けられると、
前記各モニタにおいて、前記第１の表示態様で表示される画像が現在前記第１の表示態様で表示されている画像から次の画像に切り替わり、前記第２の表示態様で表示される画像が切り替わった前記次の画像以外にされた内蔵モニタ用のサムネイル一覧画像および外部モニタ用のサムネイル一覧画像を前記内蔵モニタ用一覧画像生成手段および前記外部モニタ用一覧画像生成手段に生成させ、
前記内蔵モニタに表示されるサムネイル一覧画像における選択画像がこのサムネイル一覧画像の最後端の画像から次の画像に切り替える操作が前記操作受付手段によって受け付けられると、
前記内蔵モニタに表示されていたサムネイル一覧画像を構成する全画像が消されて全画像が次の新たな画像群とされ、前記第１の表示態様で表示される画像がサムネイル一覧画像の最後端画像から先頭画像に切り替わり、前記第２の表示態様で表示される画像がこの先頭画像以外の画像に切り替わった内蔵モニタ用のサムネイル一覧画像を前記内蔵モニタ用一覧画像生成手段に生成させ、
前記外部モニタに表示されるサムネイル一覧画像における選択画像がこのサムネイル一覧画像の最後端の画像から次の画像に切り替える操作が前記操作受付手段によって受け付けられると、
前記外部モニタに表示されていたサムネイル一覧画像を構成する全画像が消されて全画像が次の新たな画像群とされ、前記第１の表示態様で表示される画像がサムネイル一覧画像の最後端画像から先頭画像に切り替わり、前記第２の表示態様で表示される画像がこの先頭画像以外の画像に切り替わった外部モニタ用のサムネイル一覧画像を前記外部モニタ用一覧画像生成手段に生成させる
ことを特徴とする画像表示装置。
【請求項５】
請求項１から請求項４のいずれか１項に記載の画像表示装置において、
前記操作受付手段は、画像表示装置本体が傾けられたまたは振られたことを検知するセンサを有し、
前記出力手段に前記外部モニタが接続されたことを検出する接続検出手段と、
この接続検出手段によって前記出力手段に前記外部モニタが接続されたことが検出されると、前記センサによって画像表示装置本体が傾けられたまたは振られたことが検知された場合に、画像を選択する使用者の操作を前記操作受付手段によって受け付けるモードに設定する操作受付モード設定手段と
を備えることを特徴とする画像表示装置。
【発明の詳細な説明】
【技術分野】
【０００１】
本発明は、使用者の操作を受け付けて、内蔵モニタおよび外部モニタの各モニタに表示される各サムネイル一覧画像における画像が選択される画像表示装置に関するものである。
【背景技術】
【０００２】
従来、この種の画像表示装置としては、デジタルカメラやビデオカメラなどがある。このデジタルカメラやビデオカメラは、ケーブルを介してテレビ等のような外部モニタと接続され、デジタルカメラで撮影された静止画像やビデオカメラで撮影された動画像における特定画像のサムネイル一覧画像が、テレビなどの外部モニタおよびデジタルカメラやビデオカメラに内蔵の背面モニタに表示される。テレビの外部モニタとしては、有効画素数が横７２０画素×縦４８０ラインの標準映像信号を表示するＮＴＳＣ（National Television System Committee）方式のモニタや、有効画素数が横１９２０画素×縦１０８０ラインで、より高画質の高精細度映像信号を表示するハイビジョン方式のモニタがある。
【０００３】
特許文献１に開示されたビデオカメラは、高精細なＨＤＴＶモニタにサムネイル一覧画像を表示する場合、ＳＤ映像信号形式のサムネイル一覧映像信号を高精細なＨＤ映像信号に変換し、ＨＤＴＶモニタ用の高解像度サムネイル一覧画像を生成してテレビに出力する。ビデオカメラのＬＣＤ（液晶表示装置）にはＳＤ映像信号形式の低解像度サムネイル一覧画像をそのまま出力する。ここで、ＨＤＴＶモニタに表示されるサムネイル一覧画像の画像数は、ビデオカメラのＬＣＤに表示されるサムネイル一覧画像の画像数よりも多くなっている。
【０００４】
特許文献２に開示されたデジタルカメラは、記録媒体からの映像信号をハイビジョン方式の高解像度の高精細度映像信号、またはＮＴＳＣ方式の標準解像度の標準映像信号に変換する機能を有する画像処理部を備えている。デジタルカメラに接続されたテレビジョンモニタの解像度に応じて、出力する映像信号の解像度を切り換えるため、テレビジョンモニタの種類に適した映像を表示することができ、テレビジョンモニタの性能を充分に生かすことができる。また、選択したテレビジョン方式によってサムネイル画像の表示数が切り換わるため、ハイビジョン方式モニタに表示されるサムネイル画像の表示数は、デジタルカメラのＬＣＤに表示されるサムネイル画像の表示数よりも多くなる。
【特許文献１】特開２００８−５１００号公報
【特許文献２】特開２００５−１０１８６５号公報
【発明の開示】
【発明が解決しようとする課題】
【０００５】
しかしながら、特許文献１や特許文献２に開示されたビデオカメラやデジタルカメラの場合、ハイビジョン方式の外部モニタに表示されるサムネイル画像の表示数は、上記のように、ビデオカメラやデジタルカメラのＬＣＤ内蔵モニタに表示されるサムネイル画像の表示数よりも多い。この場合、ハイビジョン方式の外部モニタとビデオカメラやデジタルカメラのＬＣＤ内蔵モニタとに表示される各サムネイル画像の対応関係や、各サムネイル画像において選択される選択画像の対応関係は、明らかではなく、使用者にとって利便性に欠ける。
【課題を解決するための手段】
【０００６】
本発明はこのような課題を解決するためになされたもので、
記憶媒体に格納された画像データを読み出す画像読出手段と、
この画像読出手段によって読み出された画像データに応じた画像が表示される内蔵モニタと、
画像読出手段によって読み出された複数の画像データに基づいて内蔵モニタ用のサムネイル一覧画像を生成する内蔵モニタ用一覧画像生成手段と、
画像読出手段によって読み出された複数の画像データに基づいて内蔵モニタ用のサムネイル一覧画像が含む画像よりも多い数の画像から構成される外部モニタ用のサムネイル一覧画像を生成する外部モニタ用一覧画像生成手段と、
この外部モニタ用一覧画像生成手段で生成された外部モニタ用のサムネイル一覧画像を外部モニタへ出力する出力手段と、
内蔵モニタおよび外部モニタの各モニタに表示される各サムネイル一覧画像における画像を選択する使用者の操作を受け付ける操作受付手段と、
この操作受付手段によって操作が受け付けられて選択された、内蔵モニタに表示されるサムネイル一覧画像における画像と外部モニタに表示されるサムネイル一覧画像における画像とが同一であると視認させる関連付け手段と
を備えることを特徴とする。
【０００７】
本構成によれば、使用者は、内蔵モニタと外部モニタとに表示される各サムネイル一覧画像の両方を見ながら画像を操作する場合、操作受付手段によって操作が受け付けられて選択された、内蔵モニタに表示されるサムネイル一覧画像における画像と外部モニタに表示されるサムネイル一覧画像における画像とが関連付け手段によって同一であると視認させられているため、内蔵モニタと外部モニタとに表示される各サムネイル一覧画像の対応関係、および各サムネイル画像において選択される選択画像の対応関係を把握しやすくなり、内蔵モニタと外部モニタの画面の同時操作が容易となる。
【０００８】
また、本発明は、請求項１に記載の画像表示装置において、
関連付け手段が、
各モニタにおいて現在選択されている画像の次の画像を選択する操作が操作受付手段によって受け付けられると、
各モニタに表示される各サムネイル一覧画像の先頭画像が消えて２番目以降の各画像の表示位置が順次繰り上がり、各サムネイル一覧画像の最後端に新たな画像が表示された内蔵モニタ用のサムネイル一覧画像および外部モニタ用のサムネイル一覧画像を内蔵モニタ用一覧画像生成手段および外部モニタ用一覧画像生成手段に生成させる
ことを特徴とする。
【０００９】
本構成によれば、各モニタにおいて現在選択されている画像の次の画像を選択する操作が操作受付手段によって受け付けられても、サムネイル一覧画像における各選択画像の各モニタに対する表示位置は移動せず、各選択画像は各モニタの画面上の一定の表示位置で固定されている。このため、使用者が内蔵モニタと外部モニタとの両方を見ながら操作する場合、各サムネイル一覧画像における選択画像の表示位置を容易に把握でき、内蔵モニタと外部モニタとのサムネイル一覧画像の対応関係をつかみやすくなり、各モニタの画面操作が容易になる。
【００１０】
また、本発明は、請求項１に記載の画像表示装置において、
関連付け手段が、
操作受付手段によって操作が受け付けられて選択された画像の各モニタにおける表示態様を第１の表示態様とし、操作受付手段によって操作が受け付けられて選択された画像以外の各画像の各モニタにおける表示態様を第１の表示態様と異なる第２の表示態様とした内蔵モニタ用のサムネイル一覧画像および外部モニタ用のサムネイル一覧画像を内蔵モニタ用一覧画像生成手段および外部モニタ用一覧画像生成手段に生成させ、
各モニタにおいて現在選択されている画像の次の画像を選択する操作が操作受付手段によって受け付けられると、
各モニタにおいて、第１の表示態様で表示される画像が現在第１の表示態様で表示されている画像から次の画像に切り替わり、第２の表示態様で表示される画像が切り替わった次の画像以外にされた内蔵モニタ用のサムネイル一覧画像および外部モニタ用のサムネイル一覧画像を内蔵モニタ用一覧画像生成手段および外部モニタ用一覧画像生成手段に生成させ、
内蔵モニタに表示されるサムネイル一覧画像における選択画像がこのサムネイル一覧画像の最後端の画像から次の画像に切り替える操作が操作受付手段によって受け付けられると、
内蔵モニタに表示されていたサムネイル一覧画像を構成する全画像が消されて全画像が次の新たな画像群とされ、第１の表示態様で表示される画像がサムネイル一覧画像の最後端画像から先頭画像に切り替わり、第２の表示態様で表示される画像がこの先頭画像以外の画像に切り替わった内蔵モニタ用のサムネイル一覧画像を内蔵モニタ用一覧画像生成手段に生成させると共に、
外部モニタに表示されるサムネイル一覧画像を構成する画像が、内蔵モニタに表示されるサムネイル一覧画像の全画像数分消されて、消されて残った画像の各表示位置が順次全画像数分繰り上がり、繰り上がった最後端の次の表示位置から消された全画像数分の新たな画像群が表示された外部モニタ用のサムネイル一覧画像を外部モニタ用一覧画像生成手段に生成させる
ことを特徴とする
【００１１】
本構成によれば、操作受付手段によって操作が受け付けられて選択された画像の各モニタにおける表示態様は第１の表示態様とされ、それ以外の各画像の各モニタにおける表示態様は第１の表示態様と異なる第２の表示態様とされて、選択された画像が識別される。内蔵モニタに表示されるサムネイル一覧画像における選択画像がこのサムネイル一覧画像の最後端の画像から次の画像に切り替える操作が操作受付手段によって受け付けられた場合、内蔵モニタと外部モニタに表示される各サムネイル一覧画像は、内蔵モニタに表示されるサムネイル一覧画像の全画像数分が同時に切り替わるため、内蔵モニタと外部モニタの相関がわかりやすく、内蔵モニタと外部モニタの同時操作が容易となる。また、各モニタのサムネイル一覧画像は、内蔵モニタを基準に切り替わるため、使用者が、内蔵モニタを基準にして外部モニタの画面操作をする場合、より容易に操作が可能となる。また、第１の表示態様で表示される画像が現在表示されている画像から次の画像に切り替わった場合、各サムネイル一覧画像における第１の表示態様で表示される各画像の表示位置が１コマ分移動し、前に選択した画像も表示され続けるため、前に選択した画像に戻りたい場合、各モニタを見ながら簡単に戻って、前に選択した画像を表示させることができて便利である。また、内蔵モニタに表示されるサムネイル一覧画像の全画像数分、選択画像の位置が移動するまでは、同じ各サムネイル一覧画像が表示され続けるため、サムネイル一覧画像全体に対する選択画像の位置関係の把握が容易になる。
【００１２】
また、本発明は、請求項１に記載の画像表示装置において、
関連付け手段が、
操作受付手段によって操作が受け付けられて選択された画像の各モニタにおける表示態様を第１の表示態様とし、操作受付手段によって操作が受け付けられて選択された画像以外の各画像の各モニタにおける表示態様を第１の表示態様と異なる第２の表示態様とした内蔵モニタ用のサムネイル一覧画像および外部モニタ用のサムネイル一覧画像を内蔵モニタ用一覧画像生成手段および外部モニタ用一覧画像生成手段に生成させ、
各モニタにおいて現在選択されている画像の次の画像を選択する操作が操作受付手段によって受け付けられると、
各モニタにおいて、第１の表示態様で表示される画像が現在第１の表示態様で表示されている画像から次の画像に切り替わり、第２の表示態様で表示される画像が切り替わった次の画像以外にされた内蔵モニタ用のサムネイル一覧画像および外部モニタ用のサムネイル一覧画像を内蔵モニタ用一覧画像生成手段および外部モニタ用一覧画像生成手段に生成させ、
内蔵モニタに表示されるサムネイル一覧画像における選択画像がこのサムネイル一覧画像の最後端の画像から次の画像に切り替える操作が操作受付手段によって受け付けられると、
内蔵モニタに表示されていたサムネイル一覧画像を構成する全画像が消されて全画像が次の新たな画像群とされ、第１の表示態様で表示される画像がサムネイル一覧画像の最後端画像から先頭画像に切り替わり、第２の表示態様で表示される画像がこの先頭画像以外の画像に切り替わった内蔵モニタ用のサムネイル一覧画像を内蔵モニタ用一覧画像生成手段に生成させ、
外部モニタに表示されるサムネイル一覧画像における選択画像がこのサムネイル一覧画像の最後端の画像から次の画像に切り替える操作が操作受付手段によって受け付けられると、
外部モニタに表示されていたサムネイル一覧画像を構成する全画像が消されて全画像が次の新たな画像群とされ、第１の表示態様で表示される画像がサムネイル一覧画像の最後端画像から先頭画像に切り替わり、第２の表示態様で表示される画像がこの先頭画像以外の画像に切り替わった外部モニタ用のサムネイル一覧画像を外部モニタ用一覧画像生成手段に生成させる
ことを特徴とする。
【００１３】
本構成によれば、外部モニタに表示されるサムネイル一覧画像は、内蔵モニタに表示されるサムネイル一覧画像の数よりも多く、次のサムネイル一覧画像に更新される回数が内蔵モニタが更新される回数よりも少ないので、外部モニタを見ながら操作する使用者にとって、サムネイル一覧画像が煩雑に更新されず、見やすく、目の疲労が低減される。
【００１４】
また、本発明は、請求項１から請求項４のいずれか１項に記載の画像表示装置において、
操作受付手段が、画像表示装置本体が傾けられたまたは振られたことを検知するセンサを有し、
出力手段に外部モニタが接続されたことを検出する接続検出手段と、
この接続検出手段によって出力手段に外部モニタが接続されたことが検出されると、センサによって画像表示装置本体が傾けられたまたは振られたことが検知された場合に、画像を選択する使用者の操作を操作受付手段によって受け付けるモードに設定する操作受付モード設定手段と
を備えることを特徴とする。
【００１５】
本構成によれば、出力手段に外部モニタが接続されると、画像表示装置本体が傾けられたまたは振られたことを検知して画像を選択する使用者の操作を受け付けるモードに自動的になるため、利便性が向上する。また、使用者は、画像表示装置本体を左右に振ったり、傾けたりする操作をすることにより、ボタン操作のために手元をみることなく、各モニタを見ながら選択画像を確認できるため、操作性が向上する。また、画像表示装置自体を振ったり傾けたりすることと各モニタの画面における選択画像の移動方向とを関連付けることで、直感的で判りやすい外部モニタの操作が可能となる。
【発明の効果】
【００１６】
本発明による画像表示装置によれば、上述したように、操作受付手段によって操作が受け付けられて選択された、内蔵モニタに表示されるサムネイル一覧画像における画像と外部モニタに表示されるサムネイル一覧画像における画像とが関連付け手段によって同一であると視認させられるため、内蔵モニタと外部モニタとに表示される各サムネイル一覧画像の対応関係、および各サムネイル画像において選択される選択画像の対応関係を把握しやすくなり、内蔵モニタと外部モニタの画面の同時操作が容易となる。
【発明を実施するための最良の形態】
【００１７】
次に、本発明の画像表示装置をデジタルカメラに適用した場合における、最良の実施の形態について説明する。
【００１８】
図１は、この第１の実施の形態によるデジタルカメラ２１の構成の概略を示すブロック図である。
【００１９】
レンズ１を通った被写体の光量は測光部１３によって検出される。制御部８は、測光部１３で検出した被写体光量に基づいて絞り駆動部６を駆動制御し、絞り２の開口量を調節して、ＣＣＤ（Charge Coupled Devices）等から構成される撮像素子３に投影される被写体像の光量を調節する。また、制御部８は、レンズ駆動部５を駆動制御してレンズ１を移動させることにより、撮像素子３に投影される被写体像の焦点を調節する。制御部８は、ＣＰＵ（Central Processing Unit）を含んで構成され、各種の所定の演算を行って、デジタルカメラ２１内の各回路の制御を行う。撮像素子３は、操作部１２を構成するシャッターボタンの操作に応じて、レンズ１および絞り２を通過した被写体光による像を撮像する。
【００２０】
撮像素子３に蓄えられた電荷は、タイミングジェネレーター（ＴＧ）７によって生成されるタイミングパルスに従い、撮像信号として信号処理部４へ出力される。信号処理部４は、入力された撮像信号に対して所定のアナログ信号処理を施した後、デジタル信号に変換する。制御部８は、ホワイトバランス処理やガンマ補正といった所定の画像処理を行い、画像処理を行った画像データを一時記憶メモリからなるバッファメモリ１４に格納すると共に、記憶媒体インターフェイス１９を介して不揮発性メモリからなる記憶媒体２０に格納する。撮影画像の再生時には、記憶媒体２０に格納された画像データは、制御部８によって記憶媒体インターフェイス１９を介して読み出されて、バッファメモリ１４に格納される。制御部８は、記憶媒体２０に格納された画像データをバッファメモリ１４へ読み出す画像読出手段を構成している。デジタルカメラ２１の背面などに装備された内蔵モニタ１６およびテレビなどの外部モニタ１８は、この画像読出手段によって読み出された画像データに応じた画像を表示する。
【００２１】
また、制御部８は、内蔵モニタ用一覧画像生成手段および外部モニタ用一覧画像生成手段を構成しており、記憶媒体２０から読み出した複数の画像データに基づいて、内蔵モニタ１６用のサムネイル一覧画像を生成すると共に、外部モニタ１８用のサムネイル一覧画像を生成する。外部モニタ１８は、内蔵モニタ１６よりも一般的に大きく、外部モニタ１８用のサムネイル一覧画像は、内蔵モニタ１６用のサムネイル一覧画像が含む画像よりも多い画像から構成される。
【００２２】
上述した内蔵モニタ用一覧画像生成手段および外部モニタ用一覧画像生成手段によって生成された各サムネイル一覧画像のデータは、一旦バッファメモリ１４に格納される。バッファメモリ１４に格納された内蔵モニタ１６用のサムネイル一覧画像データ、および記憶媒体２０から読み出された画像データは、内蔵モニタインターフェイス１５において内蔵モニタ１６用の画像データへ変換されて、内蔵モニタ１６に表示される。また、バッファメモリ１４に格納された外部モニタ１８用のサムネイル一覧画像データ、および記憶媒体２０から読み出された画像データは、外部モニタインターフェイス１７において、テレビジョンモニタの解像度等に応じて、ハイビジョン方式の高解像度の高精細度映像信号、またはＮＴＳＣ方式の標準解像度の標準映像信号に変換され、外部モニタ１８に表示される。外部モニタインターフェイス１７は、外部モニタ用一覧画像生成手段で生成された外部モニタ１８用のサムネイル一覧画像を外部モニタ１８へ出力する出力手段を構成している。
【００２３】
加速度センサ９は、手振れ等によって発生するデジタルカメラ２１本体のヨーイング方向およびピッチング方向の回転の振れを検出する。この検出出力に応じて、制御部８は、レンズ駆動部５を駆動制御してレンズ１を移動させることにより、撮影時の手れ補正を行う。傾きセンサ１０は、例えば、内部にボールが格納されて構成され、ボールの移動位置からデジタルカメラ２１の構えられた縦，横位置などを検出する。閃光部１１は、操作部１２の操作に応じてまたは自動的に、周囲が暗い時に撮影領域内を照明する照明光を発光する。
【００２４】
本実施形態では、加速度センサ９は、撮影画像の再生時に操作受付手段を構成し、内蔵モニタ１６および外部モニタ１８の各モニタに表示される各サムネイル一覧画像において、画像を選択する使用者の操作を受け付ける。つまり、図２のデジタルカメラ２１の背面図に示すように、加速度センサ９は、デジタルカメラ２１本体が左右に振られるのを検出して、各サムネイル一覧画像における画像を選択する使用者の操作を受け付ける。本実施形態では、デジタルカメラ２１本体が右に振られたことが検出されると、選択画像を進めるコマ送り操作が受け付けられ、デジタルカメラ２１本体が左に振られたことが検出されると、選択画像を戻すコマ送り操作が受け付けられる。
【００２５】
なお、デジタルカメラ２１を上下に振ることにより、サムネイル一覧画像における画像を選択する構成であってもよい。また、デジタルカメラ２１を傾けることにより、この傾きを傾きセンサ１０によって検知し、サムネイル一覧画像における画像を選択する構成であってもよい。例えば、デジタルカメラ２１の右肩を上に傾けた場合、選択画像が次の画像に進み、デジタルカメラ２１の左肩を上に傾けた場合、戻るようにする。
【００２６】
制御部８は、外部モニタインターフェイス１７に外部モニタ１８が接続されたことを検出する接続検出手段を構成しており、また、この接続検出手段によって外部モニタインターフェイス１７に外部モニタ１８が接続されたことが検出されると、加速度センサ９または傾きセンサ１０によってデジタルカメラ２１が振られたまたは傾けられたことが検知された場合に、画像を選択する使用者の操作を操作受付手段によって受け付ける動き検出モードに設定する操作受付モード設定手段をも構成している。
【００２７】
図３は、デジタルカメラ２１の背面の概略を示す図である。
【００２８】
デジタルカメラ２１の背面に装備された内蔵モニタ１６には、撮影された１枚の画像や、内蔵モニタ１６用の図示する例えば９枚のサムネイル一覧画像が表示される。内蔵モニタ１６の右側には操作部１２を構成する各種のボタンが設けられている。ズームボタン２２は、左端が押操作されることにより内蔵モニタ１６に表示される撮影画像を縮小表示し、また、右端が押操作されることにより内蔵モニタ１６に表示される撮影画像を拡大表示する。モードボタン２３は、画像の再生時に操作されることにより、再生モードメニューを内蔵モニタ１６に表示し、撮影時に操作されることにより、撮影モードメニューを内蔵モニタ１６に表示する。切換ボタン２４は、撮影モードのときに操作されると再生モードに切り換え、再生モードのときに操作されると撮影モードに切り換える。マルチセレクタ２５は、回転操作されることにより、選択するメニュー項目や画像を切り換え、その中央のボタンが押されることにより、回転操作によって選択されたものを決定させる。メニューボタン２６は、操作されることにより、現在選んでいるモードに応じてデジタルカメラ２１の詳細設定を行う各種メニューを内蔵モニタ１６に表示させる。削除ボタン２７は、撮影画像の再生中に操作されると削除確認画面を内蔵モニタ１６に表示し、もう一度操作されると再生中の画像を削除する。
【００２９】
図４は、テレビ３１の正面の概略を示す図である。
【００３０】
テレビ３１の正面には、外部モニタ１８が備えられている。テレビ３１がケーブルを介してデジタルカメラ２１の外部モニタインターフェイス１７に接続されることにより、この外部モニタ１８には、外部モニタ１８用のサムネイル一覧画像が表示される。外部モニタ１８用のサムネイル一覧画像は、内蔵モニタ１６用の９コマのサムネイル一覧画像よりも多い例えば３６コマの画像から成る。また、外部モニタ１８用のサムネイル一覧画像を構成する各画像の大きさの、外部モニタ１８の画面の大きさに対する比率は、内蔵モニタ１６用のサムネイル一覧画像を構成する各画像の大きさの、内蔵モニタ１６の画面の大きさに対する比率よりも小さくなっている。
【００３１】
図３、図４において操作受付手段によって操作が受け付けられて選択された画像（例えば、番号１の画像）は、回りがカーソル枠４１により囲まれて第１の表示態様で表されており、選択されていない各画像は、カーソル枠４１により囲まれない第２の表示態様で表されている。しかし、このようなカーソル枠４１を用いず、選択された画像を明るい第１の表示態様とし、選択されていない各画像を暗い第２の表示態様とするような構成であってもよい。
【００３２】
制御部８は、操作受付手段によって操作が受け付けられて選択された、内蔵モニタ１６に表示されるサムネイル一覧画像における画像と外部モニタ１８に表示されるサムネイル一覧画像における画像とが同一であると視認させる関連付け手段を構成している。本実施形態では、関連付け手段は、操作受付手段によって操作が受け付けられて選択された画像の各モニタ１６、１８における表示態様を上記第１の表示態様とし、操作受付手段によって操作が受け付けられて選択された画像以外の各画像の各モニタ１６、１８における表示態様を第１の表示態様と異なる上記第２の表示態様とした内蔵モニタ１６用のサムネイル一覧画像および外部モニタ１８用のサムネイル一覧画像を内蔵モニタ用一覧画像生成手段および外部モニタ用一覧画像生成手段に生成させる。また、本実施形態では、関連付け手段は、内蔵モニタ１６と外部モニタ１８に表示される各サムネイル一覧画像における各選択画像に、以下の３種類の関連付け設定１〜３のいずれかの関連性をもたせる。
【００３３】
関連付け設定１では、関連付け手段は、各モニタ１６、１８において現在選択されている画像の次の画像を選択する操作が操作受付手段によって受け付けられると、各モニタ１６、１８に表示される各サムネイル一覧画像の先頭画像が消えて２番目以降の各画像の表示位置が順次繰り上がり、各サムネイル一覧画像の最後端に新たな画像が表示された内蔵モニタ１６用のサムネイル一覧画像および外部モニタ１８用のサムネイル一覧画像を内蔵モニタ用一覧画像生成手段および外部モニタ用一覧画像生成手段に生成させる。
【００３４】
関連付け設定２では、関連付け手段は、各モニタ１６、１８において現在選択されている画像の次の画像を選択する操作が操作受付手段によって受け付けられると、各モニタ１６、１８において、第１の表示態様で表示される画像が現在第１の表示態様で表示されている画像から次の画像に切り替わり、第２の表示態様で表示される画像が切り替わった次の画像以外にされた内蔵モニタ１６用のサムネイル一覧画像および外部モニタ１８用のサムネイル一覧画像を内蔵モニタ用一覧画像生成手段および外部モニタ用一覧画像生成手段に生成させる。また、内蔵モニタ１６に表示されるサムネイル一覧画像における選択画像がこのサムネイル一覧画像の最後端の画像から次の画像に切り替える操作が操作受付手段によって受け付けられると、内蔵モニタ１６に表示されていたサムネイル一覧画像を構成する全画像が消されて全画像が次の新たな画像群とされ、第１の表示態様で表示される画像がサムネイル一覧画像の最後端画像から先頭画像に切り替わり、第２の表示態様で表示される画像がこの先頭画像以外の画像に切り替わった内蔵モニタ１６用のサムネイル一覧画像を内蔵モニタ用一覧画像生成手段に生成させる。また、これと共に、外部モニタ１８に表示されるサムネイル一覧画像を構成する画像が、内蔵モニタ１６に表示されるサムネイル一覧画像の全画像数分消されて、消されて残った画像の各表示位置が順次全画像数分繰り上がり、繰り上がった最後端の次の表示位置から消された全画像数分の新たな画像群が表示された外部モニタ１８用のサムネイル一覧画像を外部モニタ用一覧画像生成手段に生成させる。
【００３５】
関連付け設定３では、関連付け手段は、各モニタ１６、１８において現在選択されている画像の次の画像を選択する操作が操作受付手段によって受け付けられると、各モニタ１６、１８において、第１の表示態様で表示される画像が現在第１の表示態様で表示されている画像から次の画像に切り替わり、第２の表示態様で表示される画像が切り替わった次の画像以外にされた内蔵モニタ１６用のサムネイル一覧画像および外部モニタ１８用のサムネイル一覧画像を内蔵モニタ用一覧画像生成手段および外部モニタ用一覧画像生成手段に生成させる。また、内蔵モニタ１６に表示されるサムネイル一覧画像における選択画像がこのサムネイル一覧画像の最後端の画像から次の画像に切り替える操作が操作受付手段によって受け付けられると、内蔵モニタ１６に表示されていたサムネイル一覧画像を構成する全画像が消されて全画像が次の新たな画像群とされ、第１の表示態様で表示される画像がサムネイル一覧画像の最後端画像から先頭画像に切り替わり、第２の表示態様で表示される画像がこの先頭画像以外の画像に切り替わった内蔵モニタ１６用のサムネイル一覧画像を内蔵モニタ用一覧画像生成手段に生成させる。また、外部モニタ１８に表示されるサムネイル一覧画像における選択画像がこのサムネイル一覧画像の最後端の画像から次の画像に切り替える操作が操作受付手段によって受け付けられると、外部モニタ１８に表示されていたサムネイル一覧画像を構成する全画像が消されて全画像が次の新たな画像群とされ、第１の表示態様で表示される画像がサムネイル一覧画像の最後端画像から先頭画像に切り替わり、第２の表示態様で表示される画像がこの先頭画像以外の画像に切り替わった外部モニタ１８用のサムネイル一覧画像を外部モニタ用一覧画像生成手段に生成させる。
【００３６】
図５は、デジタルカメラ２１がテレビ種別情報を出力するテレビ３１と接続された際に制御部８によって行われる処理の概略を示すフローチャートである。
【００３７】
制御部８は、外部モニタインターフェイス１７に外部モニタ１８が接続されたか否かを判別する（図５，Ｓ１参照）。この判別が“ＮＯ”である場合、Ｓ１の処理を繰り返して行う待機状態となる。一方、この判別が“ＹＥＳ”である場合、つまり、デジタルカメラ２１が外部モニタインターフェイス１７に接続ケーブルを介してテレビ３１と接続された場合、制御部８は、操作受付手段を動き検出モードに設定する（Ｓ２）。この設定により、操作受付手段は、加速度センサ９によってデジタルカメラ２１本体が振られたことが検知された場合に、画像を選択する使用者の操作を受け付ける。次に、制御部８は、接続ケーブルを介してテレビ種別情報（メーカ・機種名の識別子・型番、大きさ、解像度等）が得られたか否かを判別する（Ｓ３）。この判別が“ＹＥＳ”である場合、制御部８は、テレビの種別と、各種別のテレビにおけるサムネイル一覧画像の構成画像の大きさとを関連付ける、記憶媒体２０に記憶されたテーブルを参照する（Ｓ４）。このテーブルには、テレビ３１が、高画質の高精細度映像信号を表示するハイビジョン方式か従来のＮＴＳＣ方式か、および外部モニタ１８の大きさや解像度などに応じて定められた、サムネイル一覧画像の構成画像の大きさの値が格納されている。次に、制御部８は、サムネイル一覧画像の構成画像の大きさを、テーブルを参照して得られた値の大きさにセットする（Ｓ５）。一方、テレビ種別情報が得られず、Ｓ３の判別が“ＮＯ”である場合、制御部８は、サムネイル一覧画像の構成画像の大きさをデフォルト値にセットする（Ｓ６）。このデフォルト値は、ＮＴＳＣ方式のアナログテレビに対応した値となっている。Ｓ５またはＳ６の処理の後、制御部８は、サムネイル表示確認画面を外部モニタ１８に表示し（Ｓ７）、サムネイル一覧画像を外部モニタ１８に表示するか否かをデジタルカメラ２１の使用者に確認する。この確認により、サムネイル一覧画像を外部モニタ１８に表示するか否かが判別される（Ｓ８）。この判別が“ＮＯ”である場合、Ｓ８の処理を繰り返して行う待機状態となる。一方、この判別が“ＹＥＳ”である場合、制御部８は、内蔵モニタ１６と外部モニタ１８に表示される各サムネイル一覧画像における選択画像を関連付ける設定を、デジタルカメラ２１の使用者に行わせる（Ｓ９）。この設定では、デジタルカメラ２１のメニュー画面より、内蔵モニタ１６と外部モニタ１８に表示される各サムネイル一覧画像における選択画像の関連性の種類を、前述した関連付け設定１〜３の３種類の中からいずれかを選択させる。制御部８は、次に、テレビ３１の外部モニタ１８およびデジタルカメラ２１の内蔵モニタ１６に、Ｓ９の処理で選択された関連付けで各サムネイル一覧画像を表示する（Ｓ１０）。
【００３８】
図６は、デジタルカメラ２１がテレビ種別情報を出力しない従来のアナログのテレビ３１と接続された際に、制御部８によって行われる処理の概略を示すフローチャートである。
【００３９】
制御部８は、デジタルカメラ２１の外部モニタインターフェイス１７にテレビ３１が接続されたか否かを判別する（図６，Ｓ１１参照）。この判別が“ＮＯ”である場合、Ｓ１１の処理を繰り返して行う待機状態となる。一方、この判別が“ＹＥＳ”である場合、つまり、デジタルカメラ２１が外部モニタインターフェイス１７に接続ケーブルを介してテレビ３１と接続された場合、制御部８は、操作受付手段を動き検出モードに設定する（Ｓ１２）。この設定により、操作受付手段は、加速度センサ９によってデジタルカメラ２１本体が振られたことが検知された場合に、画像を選択する使用者の操作を受け付ける。次に、制御部８は、サムネイル一覧画像の構成画像の大きさをデフォルト値にセットする（Ｓ１３）。このデフォルト値は、ＮＴＳＣ方式のアナログテレビに対応した値となっている。次に、制御部８は、サムネイル表示確認画面を外部モニタ１８に表示し（Ｓ１４）、サムネイル一覧画像を外部モニタ１８に表示するか否かをデジタルカメラ２１の使用者に確認する。この確認により、サムネイル一覧画像を外部モニタ１８に表示するか否かが判別される（Ｓ１５）。この判別が“ＮＯ”である場合、Ｓ１５の処理を繰り返して行う待機状態となる。一方、この判別が“ＹＥＳ”である場合、制御部８は、内蔵モニタ１６と外部モニタ１８に表示される各サムネイル一覧画像における選択画像を関連付ける設定を、デジタルカメラ２１の使用者に行わせる（Ｓ１６）。この設定でも、デジタルカメラ２１のメニュー画面より、内蔵モニタ１６と外部モニタ１８に表示される各サムネイル一覧画像における選択画像の関連性の種類を、前述した関連付け設定１〜３の３種類の中からいずれかを選択させる。制御部８は、次に、テレビ３１の外部モニタ１８およびデジタルカメラ２１の内蔵モニタ１６に、Ｓ１６の処理で選択された関連付けで各サムネイル一覧画像を表示する（Ｓ１７）。
【００４０】
図７は、図５のＳ９または図６のＳ１６で関連付け設定１が選択された場合に、図５のＳ１０または図６のＳ１７に示すサムネイル表示処理で行われるその詳細なフローチャートである。
【００４１】
まず、制御部８は、サムネイル表示モードが終了であるか否かを判別する（図７，Ｓ２１参照）。このＳ２１の判別が“ＹＥＳ”である場合、サムネイル表示処理は終了する。一方、Ｓ２１の判別が“ＮＯ”である場合、制御部８は、操作受付手段による次の画像を選択する指示があるか否かを判別する（Ｓ２２）。この判別が“ＮＯ”であり、使用者がサムネイル一覧画像で選択されている画像の次の画像を選択しない場合、Ｓ２２の処理を繰り返して行う待機状態となる。一方、制御部８は、Ｓ２２の処理が“ＹＥＳ”である場合、つまり、各モニタ１６、１８において現在選択されている画像の次の画像を選択する操作を操作受付手段によって受け付けると、各モニタ１６、１８に表示される各サムネイル一覧画像の先頭画像が消えて２番目以降の各画像の表示位置が順次繰り上がり、各サムネイル一覧画像の最後端に新たな画像が表示された内蔵モニタ１６用のサムネイル一覧画像および外部モニタ１８用のサムネイル一覧画像を、内蔵モニタ用一覧画像生成手段および外部モニタ用一覧画像生成手段に生成させる（Ｓ２３）。
【００４２】
この処理では、例えば、図３、図４において、現在選択されている番号１の先頭画像の次の画像である、番号２の画像が選択された場合、内蔵モニタ１６において、番号１の先頭画像を消し、番号が２〜９の各画像の表示位置を順次繰り上げて、番号が２であった画像を先頭画像とする。そして、番号が９であった最後端位置に新たに番号１０の画像を入れて、番号２〜１０の９個の画像を表示する。また、外部モニタ１８においては、番号１の先頭画像を消し、番号が２〜３６の各画像の表示位置を順次繰り上げて、番号が２であった画像を先頭画像とする。そして、番号が３６であった最後端位置に新たに番号３７の画像を入れて、番号２〜３７の３６個の画像を表示する。この際、内蔵モニタ１６と外部モニタ１８における各サムネイル一覧画像の各選択画像は、常に同じ位置（図３、図４では、各サムネイル一覧画像の左上の先頭画像の位置）にあり、移動しない。その後、処理は、Ｓ２１の処理に戻って、上述の処理が繰り返される。
【００４３】
なお、上記の説明において、カーソル枠４１の位置は、番号１の先頭画像位置に限らず、他の画像位置（例えば、番号２や３の途中の画像位置）であってもよい。また、この場合、上記のように、各サムネイル一覧画像の各選択画像は常に同じ位置にあるため、カーソル枠４１がなくても、各モニタ１６、１８において現在選択されている画像を識別することができる。
【００４４】
図８は、図５のＳ９または図６のＳ１６で関連付け設定２が選択された場合に、図５のＳ１０または図６のＳ１７に示すサムネイル表示処理で行われるその詳細なフローチャートである。
【００４５】
まず、制御部８は、サムネイル表示モードが終了であるか否かを判別する（図８，Ｓ３１参照）。このＳ３１の判別が“ＹＥＳ”である場合、サムネイル表示処理は終了する。一方、制御部８は、Ｓ３１の判別が“ＮＯ”である場合、操作受付手段による次の画像を選択する指示があるか否かを判別する（Ｓ３２）。この判別が“ＮＯ”であり、使用者がサムネイル一覧画像で選択されている画像の次の画像を選択しない場合、Ｓ３２の処理を繰り返して行う待機状態となる。一方、制御部８は、Ｓ３２の処理が“ＹＥＳ”である場合、つまり、各モニタ１６、１８において現在選択されている画像の次の画像を選択する操作を操作受付手段によって受け付けると、その操作が、内蔵モニタ１６のサムネイル一覧画像の最後の画像（例えば、図３では右下の番号９の画像）の次の画像を選択する指示のものであるか否かを判別する（Ｓ３３）。
【００４６】
Ｓ３３の判別が“ＮＯ”である場合、制御部８は、各モニタ１６、１８において、第１の表示態様で表示される選択画像が現在第１の表示態様で表示されている画像から次の画像に切り替わり、第２の表示態様で表示される非選択画像が切り替わった次の画像以外にされた内蔵モニタ１６用のサムネイル一覧画像および外部モニタ１８用のサムネイル一覧画像を内蔵モニタ用一覧画像生成手段および外部モニタ用一覧画像生成手段に生成させ、各モニタ１６、１８のサムネイル一覧画像における各選択画像の位置を１コマ分移動させる（Ｓ３４）。この処理では、例えば、図３において、現在選択されている画像が内蔵モニタ１６における最後端の番号９以外の画像（例えば、番号５の画像）である場合、内蔵モニタ１６および外部モニタ１８における各選択画像の位置を移動し、次の画像（例えば、番号６の画像）を選択画像とする。
【００４７】
一方、Ｓ３３の処理が“ＹＥＳ”である場合、つまり、操作受付手段によって受け付けた操作が、内蔵モニタ１６に表示されるサムネイル一覧画像の最後端の番号９の画像から次の画像を選択する指示のものである場合、制御部８は、内蔵モニタ１６のサムネイル一覧画像を全て更新し、外部モニタ１８のサムネイル一覧画像を９コマ分更新する（Ｓ３５）。つまり、制御部８は、内蔵モニタ１６に表示されていたサムネイル一覧画像を構成する例えば番号１〜９の全画像が消されて、全画像が例えば番号１０〜１８の次の新たな画像群とされた内蔵モニタ１６用のサムネイル一覧画像を内蔵モニタ用一覧画像生成手段８に生成させる。また、これと共に、制御部８は、外部モニタ１８に表示されるサムネイル一覧画像を構成する例えば番号１〜３６の画像が、内蔵モニタ１６に表示されるサムネイル一覧画像の全画像数分の９コマ分消されて、消されて残った例えば番号１０〜３６の画像の各表示位置が順次９コマ分繰り上がり、繰り上がった最後端の例えば番号３６の画像の次の表示位置から、消された９コマ分の新たな例えば番号３７〜４５の画像群が表示された外部モニタ１８用のサムネイル一覧画像を、外部モニタ用一覧画像生成手段８に生成させる。
【００４８】
次に、制御部８は、内蔵モニタ１６および外部モニタ１８に表示される各選択画像を、内蔵モニタ１６および外部モニタ１８に表示される各サムネイル一覧画像の先頭位置に戻す（Ｓ３６）。この処理により、第１の表示態様で表示される選択画像は、内蔵モニタ１６では、サムネイル一覧画像の例えば番号９であった最後端画像から例えば番号１０になった先頭画像に切り替わり、外部モニタ１８では、例えば番号９であった画像から例えば番号１０になった先頭画像に切り替わる。また、第２の表示態様で表示される非選択画像は、内蔵モニタ１６では、先頭画像以外の例えば番号１１〜１８の画像、外部モニタ１８では、先頭画像以外の例えば番号１１〜４５の画像に切り替わる。その後、処理は、上述したＳ３４またはＳ３６の処理の後、再びＳ３１の処理に戻って上述の処理が繰り返される。
【００４９】
図９は、図５のＳ９または図６のＳ１６で関連付け設定３が選択された場合に、図５のＳ１０または図６のＳ１７に示すサムネイル表示処理で行われるその詳細なフローチャートである。
【００５０】
まず、制御部８は、サムネイル表示モードが終了であるか否かを判別する（図９，Ｓ４１参照）。このＳ４１の処理が“ＹＥＳ”である場合、サムネイル表示モードは終了する。一方、制御部８は、Ｓ４１の判別が“ＮＯ”である場合、操作受付手段による次の画像を選択する指示があるか否かを判別する（Ｓ４２）。この判別が“ＮＯ”であり、使用者がサムネイル一覧画像で選択されている画像の次の画像を選択しない場合、Ｓ４２の処理を繰り返して行う待機状態となる。一方、制御部８は、Ｓ４２の処理が“ＹＥＳ”である場合、つまり、各モニタ１６、１８において現在選択されている画像の次の画像を選択する操作を操作受付手段によって受け付けると、その操作が、内蔵モニタ１６のサムネイル一覧画像の最後の画像（例えば、図３では右下の番号９の画像）の次の画像を選択する指示のものであるか否かを判別する（Ｓ４３）。
【００５１】
Ｓ４３の判別が“ＮＯ”である場合、制御部８は、内蔵モニタ１６において、第１の表示態様で表示される選択画像が現在第１の表示態様で表示されている画像から次の画像に切り替わり、第２の表示態様で表示される非選択画像が切り替わった次の画像以外にされた内蔵モニタ１６用のサムネイル一覧画像を内蔵モニタ用一覧画像生成手段に生成させ、内蔵モニタ１６のサムネイル一覧画像における選択画像の位置を１コマ分移動させる（Ｓ４４）。この処理では、例えば、図３で、選択されている画像が内蔵モニタ１６における最後端の番号９以外の画像（例えば、番号５の画像）である場合、内蔵モニタ１６における選択画像の位置を移動し、次の画像（例えば、番号６の画像）を選択画像とする。
【００５２】
一方、Ｓ４３の判別が“ＹＥＳ”である場合、つまり、操作受付手段によって受け付けた操作が、内蔵モニタ１６に表示されるサムネイル一覧画像の最後端の番号９の画像から次の画像を選択する指示のものである場合、制御部８は、内蔵モニタ１６のサムネイル一覧画像を全て更新する（Ｓ４５）。つまり、制御部８は、内蔵モニタ１６に表示されていたサムネイル一覧画像を構成する例えば番号１〜９の全画像が消されて、全画像が例えば番号１０〜１８の次の新たな画像群とされた内蔵モニタ１６用のサムネイル一覧画像を内蔵モニタ用一覧画像生成手段に生成させる。次に、内蔵モニタ１６に表示される選択画像を内蔵モニタ１６に表示されるサムネイル一覧画像の先頭位置に戻す（Ｓ４６）。この処理により、内蔵モニタ１６において、第１の表示態様で表示される選択画像が、サムネイル一覧画像の例えば番号９であった最後端画像から例えば番号１０になった先頭画像に切り替わり、第２の表示態様で表示される非選択画像が、この先頭画像以外の例えば番号１１〜１８の画像に切り替わる。
【００５３】
次に、制御部８は、Ｓ４２で受け付けた、現在選択されている画像の次の画像を選択する操作が、外部モニタ１８のサムネイル一覧画像の最後の画像（例えば、図４では右下の番号３６の画像）の次の画像を選択する指示のものであるか否かを判別する（Ｓ４７）。
【００５４】
Ｓ４７の判別が“ＮＯ”である場合、制御部８は、外部モニタ１８において、第１の表示態様で表示される選択画像が現在第１の表示態様で表示されている画像から次の画像に切り替わり、第２の表示態様で表示される非選択画像が切り替わった次の画像以外にされた外部モニタ１８用のサムネイル一覧画像を外部モニタ用一覧画像生成手段に生成させ、外部モニタ１８のサムネイル一覧画像における選択画像の位置を１コマ分移動させる（Ｓ４８）。この処理では、例えば、図４で、現在選択されている画像が外部モニタ１８における最後端の番号３６以外の画像（例えば、番号１５の画像）である場合、外部モニタ１８における選択画像の位置を移動し、次の画像（例えば、番号１６の画像）を選択画像とする。
【００５５】
一方、Ｓ４７の判別が“ＹＥＳ”である場合、つまり、操作受付手段によって受け付けた操作が、外部モニタ１８に表示されるサムネイル一覧画像の最後端の番号３６の画像から次の画像を選択する指示のものである場合、制御部８は、外部モニタ１８のサムネイル一覧画像を全て更新する（Ｓ４９）。つまり、制御部８は、外部モニタ１８に表示されていたサムネイル一覧画像を構成する例えば番号１〜３６の全画像が消されて、全画像が例えば番号３７〜７２の次の新たな画像群とされた外部モニタ１８用のサムネイル一覧画像を、外部モニタ用一覧画像生成手段に生成させる。次に、外部モニタ１８に表示される選択画像を外部モニタ１８に表示されるサムネイル一覧画像の先頭位置に戻す（Ｓ５０）。この処理により、外部モニタ１８において、第１の表示態様で表示される選択画像は、サムネイル一覧画像の例えば番号３６であった最後端画像から例えば番号３７になった先頭画像に切り替わる。また、第２の表示態様で表示される非選択画像は、この先頭画像以外の例えば番号３８〜７２の画像に切り替わる。上述したＳ４８またはＳ５０の処理の後、処理は、再びＳ４１の処理に戻って上述の処理が繰り返される。
【００５６】
なお、外部モニタ１８と内蔵モニタ１６とに表示される各サムネイル一覧画像の動きに、図７〜図９で上述したように整合性をとるため、外部モニタ１８に表示されるサムネイル一覧画像の画像数は、内蔵モニタ１６に表示されるサムネイル一覧画像の画像数の整数倍であることが望ましい。本実施形態では、図３、図４に示すように、外部モニタ１８に表示されるサムネイル一覧画像の画像数である３６個は、内蔵モニタ１６に表示されるサムネイル一覧画像の画像数９の整数倍である４倍になっている。
【００５７】
このような本実施形態によるデジタルカメラ２１によれば、使用者は、内蔵モニタ１６と外部モニタ１８とに表示される各サムネイル一覧画像の両方を見ながら画像を操作する場合、操作受付手段によって操作が受け付けられて選択された、内蔵モニタ１６に表示されるサムネイル一覧画像における画像と外部モニタ１８に表示されるサムネイル一覧画像における画像とが関連付け手段によって同一であると視認させられているため、内蔵モニタ１６と外部モニタ１８とに表示される各サムネイル一覧画像の対応関係、および各サムネイル画像において選択される選択画像の対応関係を把握しやすくなり、内蔵モニタ１６と外部モニタ１８の画面の同時操作が容易となる。
【００５８】
また、本実施形態によるデジタルカメラ２１によれば、図７を用いて説明した関連付け設定１に設定されている場合、各モニタ１６、１８において現在選択されている画像の次の画像を選択する操作が操作受付手段によって受け付けられても、サムネイル一覧画像における各選択画像の各モニタ１６、１８に対する表示位置は移動せず、各選択画像は各モニタ１６、１８の画面上の一定の表示位置で固定されている。このため、使用者が内蔵モニタ１６と外部モニタ１８との両方を見ながら操作する場合、各サムネイル一覧画像における選択画像の表示位置を容易に把握でき、内蔵モニタ１６と外部モニタ１８とのサムネイル一覧画像の対応関係をつかみやすくなり、各モニタ１６、１８の画面操作が容易になる。
【００５９】
また、本実施形態によるデジタルカメラ２１によれば、図８を用いて説明した関連付け設定２に設定されている場合、内蔵モニタ１６に表示されるサムネイル一覧画像における選択画像がこのサムネイル一覧画像の最後端の画像から次の画像に切り替える操作が操作受付手段によって受け付けられると、内蔵モニタ１６と外部モニタ１８に表示される各サムネイル一覧画像は、内蔵モニタ１６に表示されるサムネイル一覧画像の全画像数分が同時に切り替わるため、内蔵モニタ１６と外部モニタ１８の相関がわかりやすく、内蔵モニタ１６と外部モニタ１８の同時操作が容易となる。また、各モニタ１６、１８のサムネイル一覧画像は、内蔵モニタ１６を基準に切り替わるため、使用者が、内蔵モニタ１６を基準にして外部モニタ１８の画面操作をする場合、より容易に操作が可能となる。また、第１の表示態様で表示される選択画像が現在表示されている画像から次の画像に切り替わった場合、各サムネイル一覧画像における第１の表示態様で表示される各選択画像の表示位置が１コマ分移動し、前に選択した画像も表示され続けるため、前に選択した画像に戻りたい場合、各モニタ１６、１８を見ながら簡単に戻って、前に選択した画像を表示させることができて便利である。また、内蔵モニタ１６に表示されるサムネイル一覧画像の全画像数分、選択画像の位置が移動するまでは、同じ各サムネイル一覧画像が各モニタ１６、１８に表示され続けるため、サムネイル一覧画像全体に対する選択画像の位置関係の把握が容易になる。
【００６０】
また、本実施形態によるデジタルカメラ２１によれば、図９を用いて説明した関連付け設定３に設定されている場合、外部モニタ１８に表示されるサムネイル一覧画像は、内蔵モニタ１６に表示されるサムネイル一覧画像の数よりも多く、次のサムネイル一覧画像に更新される回数が内蔵モニタ１６が更新される回数よりも少ないので、外部モニタ１８を見ながら操作する使用者にとって、サムネイル一覧画像が煩雑に更新されず、見やすく、目の疲労が低減される。
【００６１】
また、本実施形態によるデジタルカメラ２１によれば、外部モニタインターフェイス１７に外部モニタ１８が接続されると、操作受付手段が、デジタルカメラ２１本体が傾けられたまたは振られたことを検知して画像を選択する使用者の操作を受け付ける動き検出モードに自動的になるため、利便性が向上する。また、使用者は、デジタルカメラ２１本体を左右に振ったり、傾けたりする操作をすることにより、ボタン操作のために手元をみることなく、各モニタ１６、１８を見ながら選択画像を確認できるため、操作性が向上する。また、デジタルカメラ２１自体を振ったり傾けたりすることと、各モニタ１６、１８の画面における選択画像の移動方向とを関連付けることで、直感的で判りやすい外部モニタ１８の操作が可能となる。
【００６２】
また、本実施形態によるデジタルカメラ２１によれば、外部モニタ１８に表示されるサムネイル一覧画像を構成する各画像は、それら各画像の大きさの外部モニタ１８の画面の大きさに対する比率が、内蔵モニタ１６に表示されるサムネイル一覧画像を構成する各画像の大きさの、内蔵モニタ１６の画面の大きさに対する比率よりも小さく設定されているため、この比率と同じ場合よりも、多くなる。このため、サムネイル一覧画像を、テレビ３１のような大画面の外部モニタ１８に表示させる際、使用者は、より多くの画像の概要や、全体像を一目で把握することができる。
【００６３】
次に、本発明による画像表示装置をデジタルカメラに適用した第２の実施の形態について説明する。
【００６４】
図１０は、この第２の実施形態によるデジタルカメラ２１の背面の概略を示す図であり、図１１は、この第２の実施形態におけるテレビ３１の正面の概略を示す正面図である。
【００６５】
本実施形態では、内蔵モニタ１６および外部モニタ１８に表示される各サムネイル一覧画像は、上述の第１の実施形態におけるマトリクス状と異なる円弧状に配列されて表示されている。この円弧は、内蔵モニタ１６の右方のマルチセレクタ２５の外周に沿った形状になっている。外部モニタ１８には、撮影日時や撮影番号などで複数列に分類された、例えば、画像１ａ〜１１ａからなる左列のサムネイル一覧画像と、画像１ｂ〜１１ｂからなる右列のサムネイル一覧画像とが表示されている。ズームボタン２２の左端を押操作することにより、左列のサムネイル一覧画像１ａ〜１１ａが選択され、ズームボタン２２の右端を押操作することにより、右列のサムネイル一覧画像１ｂ〜１１ｂが選択される。内蔵モニタ１６には、このズームボタン２２の操作によって外部モニタ１８において選択されている、例えば左列のサムネイル一覧画像１ａ〜１１ａが、表示されている。
【００６６】
また、本実施形態では、マルチセレクタ２５が、撮影画像の再生時に操作受付手段を構成し、内蔵モニタ１６および外部モニタ１８の各モニタに表示される各サムネイル一覧画像において、画像を選択する使用者の操作を受け付ける。マルチセレクタ２５を回転操作することにより、内蔵モニタ１６および外部モニタ１８において、選択されている画像またはサムネイル一覧画像は、円弧が回転するが如く入れ替わる。
【００６７】
この第２の実施形態によるデジタルカメラ２１のその他の構成は、上述した第１の実施形態と同様な構成をしている。
【００６８】
本実施形態でも、前述した関連付け手段による内蔵モニタ１６および外部モニタ１８における各選択画像の関連付けが、関連付け設定１に設定されている場合、前述した図７に示すフローチャートに従ったサムネイル表示処理が行われる。
【００６９】
つまり、各モニタ１６、１８において現在選択されている画像、例えば、左列の列方向の中央に位置する画像ファイル名ＤＳＣＮ００６．ｊｐｇが表示された画像６ａの次の画像、例えば画像７ａを選択する操作が操作受付手段によって受け付けられ、図７，Ｓ２２に示す判断が“ＹＥＳ”になると、Ｓ２３の処理が行われ、内蔵モニタ１６において、番号４ａの先頭画像が消え、番号が５ａ〜８ａの各画像の表示位置が順次繰り上げり、番号が５ａであった画像が先頭画像とされる。そして、番号が８ａであった最後端位置に新たに番号９ａの画像が入れられ、番号５ａ〜９ａの５個の画像が表示される。また、外部モニタ１８においては、番号１ａの先頭画像が消え、番号が２ａ〜１１ａの各画像の表示位置が順次繰り上げり、番号が２ａであった画像が先頭画像となる。そして、番号が１１ａであった最後端位置に新たに番号１２ａの画像が入れられ、番号２ａ〜１２ａの１１個の画像が表示される。この際、内蔵モニタ１６と外部モニタ１８における各サムネイル一覧画像の各選択画像は、常に同じ位置（図１０、図１１では、サムネイル一覧画像の中央の画像位置）にあり、移動しない。
【００７０】
従って、この第２の実施形態によるデジタルカメラ２１によっても、関連付け設定１に設定されている場合、各モニタ１６、１８において現在選択されている画像の次の画像を選択する操作が操作受付手段によって受け付けられても、サムネイル一覧画像における各選択画像の各モニタ１６、１８に対する表示位置は上記のように移動せず、各選択画像は各モニタ１６、１８の画面上の一定の表示位置で固定されている。このため、使用者が内蔵モニタ１６と外部モニタ１８との両方を見ながら操作する場合、各サムネイル一覧画像における選択画像の表示位置を容易に把握でき、内蔵モニタ１６と外部モニタ１８とのサムネイル一覧画像の対応関係をつかみやすくなり、各モニタ１６、１８の画面操作が容易になる。
【００７１】
また、本実施形態でも、前述した関連付け手段による内蔵モニタ１６および外部モニタ１８における各選択画像の関連付けが、関連付け設定２に設定されている場合、前述した図８に示すフローチャートに従ったサムネイル表示処理が行われる。
【００７２】
つまり、各モニタ１６、１８において現在選択されている画像、例えば、左列の上端の先頭画像（図１２に示す内蔵モニタ１６で画像１ａ、図１１に示す外部モニタ１８で画像１ａ）の次の画像（各モニタ１６、１８で画像２ａ）を選択する操作が操作受付手段によって受け付けられ、図８，Ｓ３２に示す判断が“ＹＥＳ”になると、制御部８は、Ｓ３３において、その操作が、内蔵モニタ１６のサムネイル一覧画像の最後の画像（例えば、図１２で下端の番号５ａの画像）の次の画像を選択する指示のものであるか否かを判別する。
【００７３】
この判別がサムネイル一覧画像の最後の画像の次の画像を選択するものでなく、Ｓ３３の判別が“ＮＯ”である場合、制御部８は、Ｓ３４において、内蔵モニタ１６および外部モニタ１８における各選択画像の位置を移動し、次の画像（例えば各モニタ１６、１８で画像２ａ）を選択画像とする。一方、操作受付手段によって受け付けた操作が、内蔵モニタ１６に表示されるサムネイル一覧画像の最後端の番号５ａの画像から次の画像を選択する指示のもので、Ｓ３３の判別が“ＹＥＳ”である場合、制御部８は、Ｓ３５において、内蔵モニタ１６に表示されていたサムネイル一覧画像を構成する例えば番号１ａ〜５ａの全画像を消し、全画像を例えば番号６ａ〜１０ａの次の新たな画像群とする。また、これと共に、制御部８は、外部モニタ１８に表示されるサムネイル一覧画像を構成する例えば番号１ａ〜１１ａの画像を、内蔵モニタ１６に表示されるサムネイル一覧画像の全画像数分の５コマ分消し、消して残った例えば番号６ａ〜１１ａの画像の各表示位置を順次５コマ分繰り上げ、繰り上がった最後端の例えば番号１１ａの画像の次の表示位置から、消された５コマ分の新たな例えば番号１２ａ〜１６ａの画像群を表示する。
【００７４】
次に、制御部８は、Ｓ３６において、内蔵モニタ１６および外部モニタ１８に表示される各選択画像を、内蔵モニタ１６および外部モニタ１８に表示される各サムネイル一覧画像の先頭位置、つまり、列の上端に戻す。
【００７５】
従って、この第２の実施形態によるデジタルカメラ２１によっても、関連付け設定２に設定されている場合、内蔵モニタ１６に表示されるサムネイル一覧画像における選択画像がこのサムネイル一覧画像の最後端の画像から次の画像に切り替える操作が操作受付手段によって受け付けられると、内蔵モニタ１６と外部モニタ１８に表示される各サムネイル一覧画像は、内蔵モニタ１６に表示されるサムネイル一覧画像の全画像数分が同時に切り替わるため、内蔵モニタ１６と外部モニタ１８の相関がわかりやすく、内蔵モニタ１６と外部モニタ１８の同時操作が容易となる。また、各モニタ１６、１８のサムネイル一覧画像は、内蔵モニタ１６を基準に切り替わるため、使用者が、内蔵モニタ１６を基準にして外部モニタ１８の画面操作をする場合、より容易に操作が可能となる。また、選択画像が現在表示されている画像から次の画像に切り替わった場合、各サムネイル一覧画像における各選択画像の表示位置が１コマ分移動し、前に選択した画像も表示され続けるため、前に選択した画像に戻りたい場合、各モニタ１６、１８を見ながら簡単に戻って、前に選択した画像を表示させることができて便利である。また、内蔵モニタ１６に表示されるサムネイル一覧画像の全画像数分、選択画像の位置が移動するまでは、同じ各サムネイル一覧画像が各モニタ１６、１８に表示され続けるため、サムネイル一覧画像全体に対する選択画像の位置関係の把握が容易になる。
【００７６】
また、本実施形態でも、前述した関連付け手段による内蔵モニタ１６および外部モニタ１８における各選択画像の関連付けが、関連付け設定３に設定されている場合、前述した図９に示すフローチャートに従ったサムネイル表示処理が行われる。
【００７７】
つまり、各モニタ１６、１８において現在選択されている画像、例えば、左列の上端の先頭画像（図１２に示す内蔵モニタ１６で画像１ａ、図１１に示す外部モニタ１８で画像１ａ）の次の画像（各モニタ１６、１８で画像２ａ）を選択する操作が操作受付手段によって受け付けられ、図９，Ｓ４２に示す判断が“ＹＥＳ”になると、制御部８は、Ｓ４３において、その操作が、内蔵モニタ１６のサムネイル一覧画像の最後の画像（例えば、図１２で下端の番号５ａの画像）の次の画像を選択する指示のものであるか否かを判別する。
【００７８】
この判別がサムネイル一覧画像の最後の画像の次の画像を選択するものでなく、Ｓ４３の判別が“ＮＯ”である場合、制御部８は、Ｓ４４において、内蔵モニタ１６における選択画像の位置を移動し、次の画像（例えば画像２ａ）を選択画像とする。一方、操作受付手段によって受け付けた操作が、内蔵モニタ１６に表示されるサムネイル一覧画像の最後端の番号５ａの画像から次の画像を選択する指示のものであり、Ｓ４３の判別が“ＹＥＳ”である場合、制御部８は、Ｓ４５において、内蔵モニタ１６に表示されていたサムネイル一覧画像を構成する例えば番号１ａ〜５ａの全画像を消し、全画像を例えば番号６ａ〜１０ａの次の新たな画像群とする。次に、Ｓ４６において、内蔵モニタ１６に表示される選択画像を内蔵モニタ１６に表示されるサムネイル一覧画像の先頭位置に戻す。
【００７９】
次に、制御部８は、Ｓ４７において、現在選択されている画像の次の画像を選択する操作が、外部モニタ１８のサムネイル一覧画像の最後の画像（例えば、図１１では下端の番号１１ａの画像）の次の画像を選択する指示のものであるか否かを判別する。この判別がサムネイル一覧画像の最後の画像（例えば画像１１ａ）の次の画像を選択する指示のものでなく、Ｓ４７の判別が“ＮＯ”である場合、制御部８は、Ｓ４８の処理により、外部モニタ１８において、選択画像を次の画像（例えば画像８ａ）に切り替える。一方、操作受付手段によって受け付けた操作が、外部モニタ１８に表示されるサムネイル一覧画像の最後端の例えば番号１１ａの画像から次の画像を選択する指示のものであり、Ｓ４７の判別が“ＹＥＳ”である場合、制御部８は、Ｓ４９において、外部モニタ１８に表示されていたサムネイル一覧画像を構成する例えば番号１ａ〜１１ａの全画像を消して、全画像を例えば番号１２ａ〜２２ａの次の新たな画像群とする。次に、Ｓ５０において、外部モニタ１８に表示される選択画像を外部モニタ１８に表示されるサムネイル一覧画像の先頭位置に戻す。
【００８０】
従って、この第２の実施形態によるデジタルカメラ２１によっても、関連付け設定３に設定されている場合、外部モニタ１８に表示されるサムネイル一覧画像は、内蔵モニタ１６に表示されるサムネイル一覧画像の数よりも多く、次のサムネイル一覧画像に更新される回数が内蔵モニタ１６が更新される回数よりも少ないので、外部モニタ１８を見ながら操作する使用者にとって、サムネイル一覧画像が煩雑に更新されず、見やすく、目の疲労が低減される。
【００８１】
上記の第２の実施形態では、ズームボタン２２の操作により、撮影日時や撮影番号などで複数種類に分類されたサムネイル一覧画像を選択するように構成したが、図１３に示すテレビ３１の正面図に表示されるように、ツリー状の各フォルダＡ，ａ，ｂ，ｃに分類されたサムネイル一覧画像を、フォルダＡ，ａ，ｂ，ｃを指定することによって選択するように構成してもよい。このように構成される場合、サムネイル一覧画像がフォルダごとに管理されるため、使用者は、保存されているサムネイル一覧画像の全体を把握しやすい。また、フォルダｂにサムネイル一覧画像１ｂ〜１１ｂが図示するように紐づいて表示されるため、使用者は、フォルダｂの中身について、直感的に把握しやすく、また、分類された各サムネイル一覧画像から１つのサムネイル一覧画像を検索する効率が向上する。
【産業上の利用可能性】
【００８２】
上記各実施形態においては、本発明による画像表示装置をデジタルカメラに適用した場合について説明したが、ビデオカメラや、携帯電話等に内蔵されるカメラ等の他の画像表示装置にも適用することが可能である。このような画像表示装置に本発明を適用した場合においても、上記各実施形態と同様な作用効果が奏される。
【図面の簡単な説明】
【００８３】
【図１】本発明の第１および第２の実施形態によるデジタルカメラの構成の概略を示すブロック図である。
【図２】本発明の第１の実施形態によるデジタルカメラを左右に動かしてサムネイル一覧画像の選択画像を移動させる説明を示す図である。
【図３】本発明の第１の実施形態によるデジタルカメラの背面の概略を示す図である。
【図４】本発明の第１の実施形態によるデジタルカメラに接続される外部モニタの正面の概略を示す図である。
【図５】本発明の第１および第２の実施形態によるデジタルカメラがテレビ種別情報を出力するテレビと接続された際に制御部によって行われる処理の概略を示すフローチャートである。
【図６】本発明の第１および第２の実施形態によるデジタルカメラがテレビ種別情報を出力しないテレビと接続された際に制御部によって行われる処理の概略を示すフローチャートである。
【図７】本発明の第１および第２の実施形態によるデジタルカメラで関連付け設定１が選択された場合に行われるサムネイル表示処理の詳細なフローチャートである。
【図８】本発明の第１および第２の実施形態によるデジタルカメラで関連付け設定２が選択された場合に行われるサムネイル表示処理の詳細なフローチャートである。
【図９】本発明の第１および第２の実施形態によるデジタルカメラで関連付け設定３が選択された場合に行われるサムネイル表示処理の詳細なフローチャートである。
【図１０】本発明の第２の実施形態によるデジタルカメラの背面の概略を示す図である。
【図１１】本発明の第２の実施形態によるデジタルカメラに接続される外部モニタの正面の概略を示す図である。
【図１２】本発明の第２の実施形態によるデジタルカメラの他の背面の概略を示す図である。
【図１３】本発明の第２の実施形態によるデジタルカメラに接続される外部モニタの他の正面の概略を示す図である。
【符号の説明】
【００８４】
１…レンズ
２…絞り
３…撮像素子
４…信号処理部
５…レンズ駆動部
６…絞り駆動部
７…タイミングジェネレーター
８…制御部
９…加速度センサ
１０…傾きセンサ
１１…閃光部
１２…操作部
１３…測光部
１４…バッファメモリ
１５…内蔵モニタインターフェイス
１６…内蔵モニタ
１７…外部モニタインターフェイス
１８…外部モニタ
１９…記憶媒体インターフェイス
２０…記憶媒体
２１…デジタルカメラ
３１…テレビ
【図１】
2010074205.tif 000003
【図２】
2010074205.tif 000004
【図３】
2010074205.tif 000005
【図４】
2010074205.tif 000006
【図５】
2010074205.tif 000007
【図６】
2010074205.tif 000008
【図７】
2010074205.tif 000009
【図８】
2010074205.tif 000010
【図９】
2010074205.tif 000011
【図１０】
2010074205.tif 000012
【図１１】
2010074205.tif 000013
【図１２】
2010074205.tif 000014
【図１３】
2010074205.tif 000015